【手続補正書】
【提出日】平成27年5月1日(2015.5.1)
【手続補正１】
【補正対象書類名】特許請求の範囲
【補正対象項目名】全文
【補正方法】変更
【補正の内容】
【特許請求の範囲】
【請求項１】
印刷ヘッドを有するテープ印刷装置に装着されて使用されるためのテープカートリッジであって、
印刷テープと、
インクリボンと、
前記印刷テープおよび前記インクリボンを介して前記印刷ヘッドと当接されることになる被当接部、を有するプラテンと、
第１ケースおよび第２ケースを有し、前記印刷テープ、前記インクリボンおよび前記プラテンを収容したカートリッジケースと、
前記カートリッジケースに設けられ、前記テープカートリッジが前記テープ印刷装置に装着されるときに、前記印刷ヘッドが挿通される挿通開口と、を備え、
前記プラテンの前記被当接部は、前記第１ケース側および前記第２ケース側のいずれにおいても、前記印刷ヘッドが挿通される前記挿通開口の内側へ向かって突出していることを特徴とするテープカートリッジ。
【請求項２】
前記挿通開口において前記印刷ヘッドが臨む部分であるヘッド受容部、をさらに備え、
前記プラテンの前記被当接部は、前記第１ケース側および前記第２ケース側のいずれにおいても、前記ヘッド受容部から突出していることを特徴とする請求項１に記載のテープカートリッジ。
【請求項３】
前記第１ケースは、前記テープ印刷装置に前記テープカートリッジが装着される方向と交差する方向に延在する第１ケース壁を有し、
前記第２ケースは、前記テープ印刷装置に前記テープカートリッジが装着される方向と交差する方向に延在する第２ケース壁を有し、
前記挿通開口は、前記第１ケース壁に設けられた第１挿通開口と、前記第２ケース壁に設けられた第２挿通開口と、を有し、
前記プラテンの前記被当接部は、前記第１ケース壁に対する垂直視において前記第１挿通開口および前記第２挿通開口のいずれにおいても前記印刷ヘッドが挿通される内側に突出しているように視認される位置にあることを特徴とする請求項１に記載のテープカートリッジ。
【請求項４】
印刷ヘッドを有するテープ印刷装置に装着されて使用されるためのテープカートリッジであって、
印刷テープと、
インクリボンと、
前記印刷テープおよび前記インクリボンを介して前記印刷ヘッドと当接されることになる被当接部、を有するプラテンと、
第１ケースおよび第２ケースを有し、前記印刷テープ、前記インクリボンおよび前記プラテンを収容したカートリッジケースと、
前記カートリッジケースに設けられ、前記テープカートリッジが前記テープ印刷装置に装着されるときに、前記印刷ヘッドが挿通される挿通開口と、を備え、
前記挿通開口は、前記第１ケースに設けられた第１挿通開口と、前記第２ケースに設けられた第２挿通開口と、を有し、
前記テープカートリッジが前記テープ印刷装置に装着されるときに、前記印刷ヘッドが前記第１挿通開口および前記第２挿通開口のうち、前記第１挿通開口に先に挿通され、
前記プラテンの前記被当接部は、前記プラテンと同軸視において前記印刷ヘッドが挿通される前記第１挿通開口の内側へ向かって突出しているように視認される位置にあることを特徴とするテープカートリッジ。
【請求項５】
前記第１挿通開口の前記印刷ヘッドが臨む部分であるヘッド受容部、をさらに備え、
前記プラテンの前記被当接部は、前記ヘッド受容部から突出していることを特徴とする請求項４に記載のテープカートリッジ。
【請求項６】
印刷ヘッドおよびプラテン駆動軸を有するテープ印刷装置に装着されて使用されるためのテープカートリッジであって、
印刷テープと、
インクリボンと、
前記印刷テープおよび前記インクリボンを介して前記印刷ヘッドと当接されることになる被当接部、を有し、前記プラテン駆動軸と係合するプラテンローラーと、
前記印刷テープ、前記インクリボンおよび前記プラテンローラーを収容したカートリッジケースと、
前記カートリッジケースに設けられ、前記テープカートリッジが前記テープ印刷装置に装着されるときに、前記印刷ヘッドが挿通される挿通開口と、を備え、
前記プラテンローラーの前記被当接部は、前記プラテンローラーが前記プラテン駆動軸と係合する側の前記カートリッジケースにおいて、前記印刷ヘッドが挿通される前記挿通開口の内側へ向かって突出していることを特徴とするテープカートリッジ。
【手続補正２】
【補正対象書類名】明細書
【補正対象項目名】０００６
【補正方法】変更
【補正の内容】
【０００６】
本発明のテープカートリッジは、印刷ヘッドを有するテープ印刷装置に装着されて使用されるためのテープカートリッジであって、印刷テープと、インクリボンと、印刷テープおよびインクリボンを介して印刷ヘッドと当接されることになる被当接部、を有するプラテンと、第１ケースおよび第２ケースを有し、印刷テープ、インクリボンおよびプラテンを収容したカートリッジケースと、カートリッジケースに設けられ、テープカートリッジがテープ印刷装置に装着されるときに、印刷ヘッドが挿通される挿通開口と、を備え、プラテンの被当接部は、第１ケース側および第２ケース側のいずれにおいても、印刷ヘッドが挿通される挿通開口の内側へ向かって突出していることを特徴とする。
【手続補正３】
【補正対象書類名】明細書
【補正対象項目名】０００７
【補正方法】変更
【補正の内容】
【０００７】
この場合、挿通開口において印刷ヘッドが臨む部分であるヘッド受容部、をさらに備え、プラテンの被当接部は、第１ケース側および第２ケース側のいずれにおいても、ヘッド受容部から突出していることが好ましい。
【手続補正４】
【補正対象書類名】明細書
【補正対象項目名】０００８
【補正方法】変更
【補正の内容】
【０００８】
この場合、第１ケースは、テープ印刷装置にテープカートリッジが装着される方向と交差する方向に延在する第１ケース壁を有し、第２ケースは、テープ印刷装置にテープカートリッジが装着される方向と交差する方向に延在する第２ケース壁を有し、挿通開口は、第１ケース壁に設けられた第１挿通開口と、第２ケース壁に設けられた第２挿通開口と、を有し、プラテンの被当接部は、第１ケース壁に対する垂直視において第１挿通開口および第２挿通開口のいずれにおいても印刷ヘッドが挿通される内側に突出しているように視認される位置にあることが好ましい。
【手続補正５】
【補正対象書類名】明細書
【補正対象項目名】０００９
【補正方法】変更
【補正の内容】
【０００９】
本発明のテープカートリッジは、印刷ヘッドを有するテープ印刷装置に装着されて使用されるためのテープカートリッジであって、印刷テープと、インクリボンと、印刷テープおよびインクリボンを介して印刷ヘッドと当接されることになる被当接部、を有するプラテンと、第１ケースおよび第２ケースを有し、印刷テープ、インクリボンおよびプラテンを収容したカートリッジケースと、カートリッジケースに設けられ、テープカートリッジがテープ印刷装置に装着されるときに、印刷ヘッドが挿通される挿通開口と、を備え、挿通開口は、第１ケースに設けられた第１挿通開口と、第２ケースに設けられた第２挿通開口と、を有し、テープカートリッジがテープ印刷装置に装着されるときに、印刷ヘッドが第１挿通開口および第２挿通開口のうち、第１挿通開口に先に挿通され、プラテンの被当接部は、プラテンと同軸視において印刷ヘッドが挿通される第１挿通開口の内側へ向かって突出しているように視認される位置にあることを特徴とする。
この場合、第１挿通開口の印刷ヘッドが臨む部分であるヘッド受容部、をさらに備え、プラテンの被当接部は、ヘッド受容部から突出していることが好ましい。
【手続補正６】
【補正対象書類名】明細書
【補正対象項目名】００１０
【補正方法】変更
【補正の内容】
【００１０】
本発明のテープカートリッジは、印刷ヘッドおよびプラテン駆動軸を有するテープ印刷装置に装着されて使用されるためのテープカートリッジであって、印刷テープと、インクリボンと、印刷テープおよびインクリボンを介して印刷ヘッドと当接されることになる被当接部、を有し、プラテン駆動軸と係合するプラテンローラーと、印刷テープ、インクリボンおよびプラテンローラーを収容したカートリッジケースと、カートリッジケースに設けられ、テープカートリッジがテープ印刷装置に装着されるときに、印刷ヘッドが挿通される挿通開口と、を備え、プラテンローラーの被当接部は、プラテンローラーがプラテン駆動軸と係合する側のカートリッジケースにおいて、印刷ヘッドが挿通される挿通開口の内側へ向かって突出していることを特徴とする。